(57)【要約】【課題】  被処理水のフッ素濃度が変動する場合でも順応性に優れたフッ素含有水の晶析処理装置及び方法を提供する。【解決手段】  フッ素を含む被処理水１８をリンイオンとカルシウムイオンの共存下で晶析塔に通水し、前記被処理水中のフッ素を晶析物として除去するフッ素含有水の晶析処理方法において、２基の晶析塔２２Ａ，２２Ｂを並列運転と直列運転の両様に切り替え可能とし、定常時には並列運転し、フッ素濃度計５２で検出された処理水のフッ素濃度が設定値を越えた異常時には、制御器５４によって直列運転に切り替える。【選択図】    図１
2007021293.tif 000002
【特許請求の範囲】
【請求項１】
フッ素を含む被処理水をリンイオンとカルシウムイオンの共存下で晶析塔に通水し、前記被処理水中のフッ素を晶析物として除去するようにしたフッ素含有水の晶析処理装置において、複数基の晶析塔を並列運転と直列運転の両様に切り替え可能としたことを特徴とするフッ素含有水の晶析処理装置。
【請求項２】
フッ素を含む被処理水をリンイオンとカルシウムイオンの共存下で晶析塔に通水し、前記被処理水中のフッ素を晶析物として除去するフッ素含有水の晶析処理方法において、複数基の晶析塔を並列運転と直列運転の両様に切り替え可能とし、定常時には前記複数基の晶析塔を並列運転し、処理水のフッ素濃度が設定値を越えた異常時に前記複数基の晶析塔を直列運転に切り替えることを特徴とするフッ素含有水の晶析処理方法。
【請求項３】
前記直列運転では、前段側の晶析塔に流入させる被処理水中のリンイオン濃度が、前記定常時の並列運転で晶析塔に流入させる被処理水中のリンイオン濃度よりも高くなるように制御することを特徴とする請求項２に記載のフッ素含有水の晶析処理方法。
【発明の詳細な説明】
【技術分野】
【０００１】
本発明はフッ素含有水の晶析処理装置及び方法に係り、特にフッ素を含む被処理水をリンイオンとカルシウムイオンの共存下で晶析塔に通水し、前記被処理水中のフッ素を晶析物として除去するようにしたフッ素含有水の晶析処理装置及び方法に関する。
【背景技術】
【０００２】
フッ素含有水からフッ素を除去し回収する方法として、２つの晶析法が知られている。第１の晶析法はカルシウムイオンを共存させたフッ素含有水を晶析塔に通水し、フッ素をフッ化カルシウムとして種晶の表面に析出させる。この方法は反応速度が大きく被処理水のフッ素濃度が高い場合に有効である。しかしながら、処理水質に限界があり、処理水のフッ素濃度を公共水域への放流基準である８ｍｇ／Ｌ以下にすることは困難である。
【０００３】
第２の晶析法はカルシウムイオンとリンイオンを共存させたフッ素含有水を晶析塔に通水し、フッ素をフルオロアパタイトとして種晶の表面に析出させる。この方法は反応速度が小さいので、被処理水のフッ素濃度が高い場合には不適であるが、被処理水のフッ素濃度が比較的低い場合に適しており、処理水のフッ素濃度を公共水域への放流基準である８ｍｇ／Ｌ以下にすることができる（例えば、特許文献１及び特許文献２参照。）。  
【特許文献１】特開２００３−２２５６７９号公報
【特許文献２】特開２００４−１２２０５９号公報
【発明の開示】
【発明が解決しようとする課題】
【０００４】
しかしながら、産業廃水であるこの種のフッ素含有水は一般に水質変動が大きい。このため、上記の第２の晶析法を採用した場合に、被処理水のフッ素濃度が水質変動によって上昇すると、晶析の反応速度がフッ素濃度の上昇に追随できず、処理水のフッ素濃度が放流基準を越えてしまうという問題点があった。
【０００５】
本発明の目的は、上記の第２の晶析法を採用した晶析処理装置及び方法において、被処理水のフッ素濃度が変動する場合でも順応性に優れたフッ素含有水の晶析処理装置及び方法を提供することにある。
【課題を解決するための手段】
【０００６】
上記目的を達成するために、本発明に係るフッ素含有水の晶析処理装置は、フッ素を含む被処理水をリンイオンとカルシウムイオンの共存下で晶析塔に通水し、前記被処理水中のフッ素を晶析物として除去するようにしたフッ素含有水の晶析処理装置において、複数基の晶析塔を並列運転と直列運転の両様に切り替え可能としたことを特徴とする。
【０００７】
また、本発明に係るフッ素含有水の晶析処理方法は、フッ素を含む被処理水をリンイオンとカルシウムイオンの共存下で晶析塔に通水し、前記被処理水中のフッ素を晶析物として除去するフッ素含有水の晶析処理方法において、複数基の晶析塔を並列運転と直列運転の両様に切り替え可能とし、定常時には前記複数基の晶析塔を並列運転し、処理水のフッ素濃度が設定値を越えた異常時に前記複数基の晶析塔を直列運転に切り替えることを特徴とする。また、前記直列運転では、前段側の晶析塔に流入させる被処理水中のリンイオン濃度が、前記定常時の並列運転で晶析塔に流入させる被処理水中のリンイオン濃度よりも高くなるように制御することを特徴とする。
【発明の効果】
【０００８】
本発明の晶析処理装置及び方法によれば、被処理水の水質変動などが原因して処理水のフッ素濃度が設定値以上になった異常時には、複数の晶析塔を直列運転に切り替える。このため、被処理水中のフッ素濃度が高い場合でも、被処理水は複数の晶析塔によって段階的に晶析処理を受けるので、最後段の晶析塔から排出される処理水のフッ素濃度を設定値以下に引き下げることができる。また、定常時には運転管理の容易な並列運転によって安定な晶析処理を行うことができる。
【発明を実施するための最良の形態】
【０００９】
図１は本発明に係るフッ素含有水の晶析処理装置及び方法の第１実施形態を示す系統図である。フッ素濃度が例えば３００〜１０００ｍｇ／Ｌの範囲で大きく変動するフッ素含有水１０が前段の凝集沈澱装置１２に供給され、凝集沈澱処理を受ける。凝集沈澱装置１２ではフッ素含有水１０に対して反応当量以上の水溶性のカルシウム化合物１４が添加される。この結果、フッ素含有水１０中のフッ素はその大部分がフッ化カルシウムとなって沈澱し、汚泥１６として分離、除去される。しかしながら、この凝集沈澱処理ではフッ素を十分には除去できない。凝集沈澱処理によるフッ素の除去率を９０％とすると、凝集沈澱装置１２から排出される被処理水１８には３０〜１００ｍｇ／Ｌのフッ素が残存することになる。
【００１０】
このフッ素が３０〜１００ｍｇ／Ｌの被処理水をそのまま公共水域等に放流できないので、後段の晶析処理装置２０で晶析処理する。晶析処理装置２０は２基の晶析塔２２Ａ，２２Ｂによって構成されている。晶析塔２２Ａ，２２Ｂはそれぞれ混合調整槽２４Ａ，２４Ｂを備えており、被処理水１８は供給ポンプ２６によって各混合調整槽２４Ａ，２４Ｂに供給可能とされる。なお、被処理水１８を混合調整槽２４Ａに供給する管路２８Ａには切替弁Ｖ１が、混合調整槽２４Ｂに供給する管路２８Ｂには切替弁Ｖ２が取付けられている。
【００１１】
また、各混合調整槽２４Ａ，２４Ｂにはリン酸調整槽３０内のリン酸溶液が薬注ポンプ３２によって供給可能とされる。リン酸溶液を混合調整槽２４Ａに供給する管路３４Ａには流量調整弁Ｖ３が、混合調整槽２４Ｂに供給する管路３４Ｂには流量調整弁Ｖ４が取付けられている。また、混合調整槽２４Ａには晶析塔２２Ａからの循環水を返送する管路３６Ａが、混合調整槽２４Ｂには晶析塔２２Ｂからの循環水を返送する管路３６Ｂが接続されている。また、混合調整槽２４Ａ，２４Ｂにはそれぞれ図示しないｐＨ調整剤の添加手段が付設されており、槽内で混合された混合水のｐＨを所望の適正値に調整可能とされる。
【００１２】
混合調整槽２４Ａでリン濃度やｐＨが調整された被処理水を含む混合水は管路３８Ａに設けた供給ポンプ４０Ａによって晶析塔２２Ａの底部から晶析塔２２Ａ内に上向流で供給される。晶析塔２２Ａ内には種晶が充填されており、混合水の上向流によって種晶の流動床４２Ａが形成されている。混合水が流動床４２Ａを通過する過程で水中のフッ素がフルオロアパタイトとして種晶の表面に析出し、除去される。フッ素が除去された混合水は晶析塔２２Ａの上部から排出され、その大部分は循環水として管路３６Ａから混合調整槽２４Ａに循環される。また、管路２８Ａから混合調整槽２４Ａ内に流入した被処理水に見合う量の混合水が管路４４Ａから処理水として排出される。
【００１３】
同様に、混合調整槽２４Ｂでリン濃度やｐＨが調整された混合水は管路３８Ｂに設けた供給ポンプ４０Ｂによって晶析塔２２Ｂの底部から晶析塔２２Ｂ内に上向流で供給される。晶析塔２２Ｂ内には混合水の上向流によって種晶の流動床４２Ｂが形成されている。フッ素が除去された混合水の大部分は循環水として管路３６Ｂから混合調整槽２４Ｂに循環される。また、混合調整槽２４Ｂ内に流入した被処理水に見合う量の混合水が管路４４Ｂから処理水として排出される。
【００１４】
なお、晶析塔２２Ａ，２２Ｂに循環水を循環させる理由は、主に塔内に種晶の流動床４２Ａ，４２Ｂを適正に形成させるために必要な上向流速を確保するためである。また、循環水を循環させることによって被処理水１８が希釈される。このため、被処理水１８中のフッ素濃度に多少の時間変動がある場合でも循環水による希釈効果によって安定な運転を維持できるという副次的な作用効果もある。循環水の流量は被処理水の流入量に対して通常、１０〜３０倍とされる。
【００１５】
晶析塔２２Ａの処理水の排出管路４４Ａは切替弁Ｖ５を有する管路４６と、切替弁Ｖ６を有する管路４８に分岐している。管路４６の他端は晶析塔２２Ｂの処理水の排出管路４４Ｂに合流している。また、管路４８の他端は混合調整槽２４Ｂに接続している。管路４６と管路４４Ｂとが合流した排出管路５０には管内を流れる処理水中のフッ素濃度を検出するフッ素濃度計５２が取付けられている。フッ素濃度計５２の検出信号は制御器５４に送信され、制御器５４はフッ素濃度計５２からの検出信号に基いて切替弁Ｖ１，Ｖ２，Ｖ５，Ｖ６及び流量調整弁Ｖ３，Ｖ４の開閉動作を制御する。
【００１６】
以下、上記構成の晶析処理装置２０の運転方法について説明する。前記したようにフッ素含有水１０は前段の凝集沈澱装置１２に供給され、カルシウム化合物１４の添加によって凝集沈澱処理を受ける。その結果、フッ素含有水１０中のフッ素はその大部分がフッ化カルシウムとして沈澱分離される。しかしながら、この凝集沈澱処理によってはフッ素を十分に除去できず、凝集沈澱装置１２から排出される被処理水１８には例えば３０〜１００ｍｇ／Ｌのフッ素が残存することになる。
【００１７】
このフッ素が残存する被処理水をそのまま公共水域等に放流することはできないので、後段の晶析処理装置２０で晶析処理する。晶析処理の結果は処理水の排出側に設けたフッ素濃度計５２でモニタリングしている。制御器５４ではフッ素濃度計５２で検出した処理水のフッ素濃度が設定値（例えば公共水域への放流基準である８ｍｇ／Ｌ）未満の定常時には２基の晶析塔２２Ａ，２２Ｂを並列運転し、設定値以上の異常時には２基の晶析塔２２Ａ，２２Ｂを直列運転するように制御する。
【００１８】
並列運転の場合には、制御器５４は切替弁Ｖ１，Ｖ２，Ｖ５及び流量調整弁Ｖ３，Ｖ４を開放するとともに、切替弁Ｖ６を閉止させる。その結果、被処理水１８は管路２８Ａと管路２８Ｂに２分されて、それぞれ混合調整槽２４Ａと混合調整槽２４Ｂに均等供給されることになり、２基の晶析塔２２Ａ，２２Ｂがそれぞれ独立して晶析処理を行う並列運転となる。
【００１９】
なお、本発明に係る晶析処理はリンイオンとカルシウムイオンの共存下で被処理水中のフッ素をフルオロアパタイトとして各晶析塔の種晶の表面に析出させる方法である。したがって、各混合調整槽２４Ａ，２４Ｂで混合調整され、各晶析塔に供給される混合水中のリンイオンとカルシウムイオンの濃度をフルオロアパタイトが種晶の表面に析出し易い条件に調整する必要がある。カルシウムイオンについては前段の凝集沈澱装置１２で過剰のカルシウム化合物が添加されるので、被処理水１８は晶析処理に必要な十分な濃度のカルシウムイオンを含んでいる。このため、本実施形態の場合は、通常晶析処理装置２０ではカルシウムイオンの濃度を格別に調整する必要はない。すなわち、凝集沈澱装置１２におけるカルシウム化合物の添加量を調整することによって晶析処理装置２０での晶析処理に必要なカルシウムイオンを被処理水１８に残存させる運転となる。ただし、前段で凝集沈澱処理を受けない被処理水に対しては、晶析処理に必要な適量のカルシウム化合物を各混合調整槽において添加することになる。
【００２０】
本実施形態ではフルオロアパタイトを晶析させるためのリンイオンの濃度調整が特に重要である。図２はフルオロアパタイトの晶析条件を示したモデル図である。図中、曲線ａは溶解度曲線，曲線ｂは過溶解度曲線を示しており、溶解度曲線ａよりも左下は安定域、溶解度曲線ａと過溶解度曲線ｂに挟まれた範囲は準安定域、過溶解度曲線ｂよりも右側は凝集域である。安定域ではフッ素とリンがイオンとして安定に存在し、晶析反応が進行しない。準安定域ではカルシウムイオンの共存下でフルオロアパタイトが種晶表面に晶析する。凝集域ではフッ素とリンが共存するカルシウムイオンと反応して種晶の有無に関係なく微細な凝集物を生成し、この微細物が懸濁することによって処理水の濁度を上昇させる。
【００２１】
したがって、フルオロアパタイトを晶析させるためにはリンイオンの濃度が準安定域に属するようにフッ素濃度に応じて添加するリン酸溶液の添加量を調整する必要がある。また、処理水に残存するリンイオンは放流先の公共水域において富栄養化を引き起こす原因になる。このため、被処理水に添加するリン酸溶液の添加量は晶析処理後の処理水中に残存するリンイオンがなるべく低くなるように調整する必要がある。図２に示したｃ点は晶析塔２２Ａ，２２Ｂに流入させる混合水（被処理水と循環水が混合調整槽で混合した後の水）の好ましいフッ素とリンイオンの濃度関係を示している。この混合水は晶析塔２２Ａ，２２Ｂで晶析処理を受けることにより、フッ素とリンイオンの双方の濃度が許容設定値ｅ，ｆ以下に低下したｄ点の状態で処理水として各晶析塔から排出される。このように、各晶析塔から排出される処理水中のフッ素とリンイオンの双方の濃度を許容設定値以下に維持するために、処理水の排出管路５０に処理水中のリンイオンの濃度をモニタリングするリン濃度計を設置することが望ましい。そして、リン濃度計の検出結果に基いて、制御器５４又はマニュアル操作によって各混合調整槽２４Ａ，２４Ｂにおいて添加するリン酸溶液の量を制御，調節することが望ましい。
【００２２】
なお、図２に示したフルオロアパタイトの晶析条件は被処理水（混合水）のカルシウムイオン濃度とｐＨが一定である場合の特性図であり、これらの値、特にｐＨが変化すると晶析条件が大きく変化する。したがって、被処理水（混合水）のｐＨを一定に維持した運転を心掛けることが肝要である。
【００２３】
被処理水１８の水質変動に原因して処理水のフッ素濃度が設定値（例えば８ｍｇ／Ｌ）以上になった場合には、２基の晶析塔２２Ａ，２２Ｂを直列運転に切り替える。すなわち、フッ素濃度計５２から送信された処理水のフッ素濃度が設定値以上になると，制御器５４では切替弁Ｖ２とＶ５を閉止し、切替弁Ｖ６を開放する。その結果、被処理水１８の全量が管路２８Ａを介して混合調整槽２４Ａに流入し、晶析塔２２Ａの処理水が混合調整槽２４Ｂを経た後に晶析塔２２Ｂで再度、晶析処理を受ける直列運転となる。このような直列運転によれば被処理水１８中のフッ素濃度が高い場合でも、被処理水１８は２基の晶析塔で循環水によって希釈されつつ段階的に晶析処理を受けるので、後段の晶析塔２２Ｂから排出される処理水のフッ素濃度を設定値以下に引き下げることができる。
【００２４】
この直列運転での混合水と処理水のフッ素とリンイオンの濃度関係を図２で例示すると、前段の晶析塔２２Ａに流入する混合水はｇ点、後段の晶析塔２２Ｂに流入する混合水はｈ点、後段の晶析塔２２Ｂから排出される処理水はｃ点となる。なお、図２の準安定域における晶析反応は、右側の凝集域に近いほど反応速度が大きく、左側の安定域に近いほど反応速度が小さい。したがって、前段の晶析塔２２Ａではリンイオン濃度をなるべく高くすることによって、凝集域に近いエリアでの晶析処理を実行することが特に望ましい。ただし、添加するリン酸溶液の総量が多くなると未反応のリンイオンが処理水に多く残存することになる。
【００２５】
このため、直列運転の場合では前段の混合調整槽２４Ａに添加するリン酸溶液の量を多く、後段の混合調整槽２４Ｂに添加するリン酸溶液の量を少なく或いは零とし、装置全体としてのリン酸溶液の添加総量が並列運転時と同程度になるように制御する。この結果、直列運転では、前段側の晶析塔に流入させる被処理水（混合水）中のリンイオン濃度が、並列運転時に各晶析塔に流入させる被処理水（混合水）中のリンイオン濃度よりも高くなり、反応速度が大きい効率的な晶析処理を実現することができる。
【００２６】
上記の直列運転によってフッ素濃度計５２で検出される処理水のフッ素濃度が設定値以下になる運転が所定時間，安定に継続するか、又は被処理水１８のフッ素濃度の上昇原因が解消した情報が得られた場合には、定常時の並列運転に戻す。
【００２７】
上述のとおり、本実施形態の晶析処理装置及び方法によれば、被処理水１８の水質変動などが原因して処理水のフッ素濃度が設定値以上になった異常時には、２基の晶析塔２２Ａ，２２Ｂを直列運転に切り替える。このため、被処理水１８中のフッ素濃度が高い場合でも、被処理水１８は２基の晶析塔によって循環水で希釈されつつ段階的に晶析処理を受けるので、後段の晶析塔２２Ｂから排出される処理水のフッ素濃度を設定値以下に引き下げることができる。また、定常時には運転管理の容易な並列運転によって安定な晶析処理を行うことができる。
【００２８】
図３は本発明に係るフッ素含有水の晶析処理装置及び方法の第２実施形態を示す系統図である。本実施形態の晶析処理装置は３基の晶析塔６０Ａ，６０Ｂ，６０Ｃを備えている。切替弁Ｖ１１，Ｖ２１，Ｖ３１を備えた流入管路６２を介して被処理水が各晶析塔の底部から供給可能とされる。また、各晶析塔で晶析処理を受けた処理水は切替弁Ｖ１２，Ｖ２２，Ｖ３２を備えた流出管路６４を介して系外に排出可能とされる。また、晶析塔６０Ａと６０Ｂは切替弁Ｖ１３を備えた連絡管路６６Ａによって連絡可能とされる。同様に、晶析塔６０Ｂと６０Ｃは切替弁Ｖ２３を備えた連絡管路６６Ｂによって連絡可能とされ、晶析塔６０Ｃと６０Ａは切替弁Ｖ３３を備えた連絡管路６６Ｃによって連絡可能とされる。各晶析塔に付属する薬注手段、循環混合手段、モニタリング手段、制御手段については例えば第１実施形態と同様なものを採用することが可能であり、説明を省略する。
【００２９】
この第２実施形態では被処理水の条件によって運転方法を選択できる。図４は各種の運転方法を例示した説明図である。第１の２基並列運転は被処理水の水量とフッ素が共に比較的少ない場合に適している。各切替弁を図示の状態に開閉することによって、晶析塔６０Ａと６０Ｂが並列運転され、晶析塔６０Ｃは予備として待機するか、又は必要なメンテナンスが行われる。同様の２基並列運転として晶析塔６０Ｂと６０Ｃの組み合わせ、晶析塔６０Ｃと６０Ａの組み合わせ運転も可能である。第２の３基並列運転は被処理水の水量が比較的多く、フッ素が比較的少ない場合に適している。各切替弁を図示の状態に開閉することによって、３基の晶析塔すべてが並列運転される。
【００３０】
第３の２基直列運転は被処理水の水量が比較的少なく、フッ素が比較的多い場合に適している。各切替弁を図示の状態に開閉することによって、晶析塔６０Ａと６０Ｂが直列運転され、晶析塔６０Ｃは予備として待機するか、又は必要なメンテナンスが行われる。同様の２基直列運転として晶析塔６０Ｂと６０Ｃの組み合わせ、晶析塔６０Ｃと６０Ａの組み合わせ運転も可能である。第４の３基直列運転は被処理水の水量とフッ素が共に比較的多い場合に適している。各切替弁を図示の状態に開閉することによって、被処理水が晶析塔６０Ａ→６０Ｂ→６０Ｃの順に通水される。同様の３基直列運転として晶析塔６０Ｂ→６０Ｃ→６０Ａ又は晶析塔６０Ｃ→６０Ａ→６０Ｂの順に通水させる運転も可能である。
【図面の簡単な説明】
【００３１】
【図１】本発明に係るフッ素含有水の晶析処理装置及び方法の第１実施形態を示す系統図である。
【図２】フルオロアパタイトの晶析条件を示したモデル図である。
【図３】本発明に係るフッ素含有水の晶析処理装置及び方法の第２実施形態を示す系統図である。
【図４】第２実施形態に係る晶析処理装置の運転方法を例示した説明図である。
【符号の説明】
【００３２】
１０……フッ素含有水、１２……凝集沈澱装置、１４……カルシウム化合物、１６……汚泥、１８……被処理水、２０……晶析処理装置、２２Ａ，２２Ｂ……晶析塔、２４Ａ，２４Ｂ……混合調整槽、２６……供給ポンプ、３０……リン酸調整槽、３２……薬注ポンプ、４０Ａ，４０Ｂ……供給ポンプ、４２Ａ，４２Ｂ……（種床の）流動床、５０……（処理水の）排出管路、５２……フッ素濃度計、５４……制御器、６０Ａ，６０Ｂ，６０Ｃ……晶析塔、６２……流入管路、６４……流出管路、６６Ａ，６６Ｂ，６６Ｃ……連絡管路、Ｖ１，Ｖ２，Ｖ５，Ｖ６……切替弁、Ｖ３，Ｖ４……流量調整弁、Ｖ１１〜Ｖ３３……切替弁。
【図１】
2007021293.tif 000003
【図２】
2007021293.tif 000004
【図３】
2007021293.tif 000005
【図４】
2007021293.tif 000006